(57)【要約】【課題】つまみ片を設けた開口開始パネルのつなぎを切断して切れ目線に沿って開口し、紙箱に手を差し込んで内容物を取り出すときに、切断部分に手が当たっても、痛く無いようにした紙箱の切れ目線形状を提供する。【解決手段】大きく開口するための一対の開口線を平行に設けた開口面板と、前記開口線の一端側に、該開口面板に接続され、該開口面板と反対側の端縁に、前記一対の開口線の平行の距離より狭い幅のつまみ片を設けた開口開始パネルを有する板紙製の紙箱に設ける、前記つまみ片の両端より前記一対の開口線にそれぞれ連続する、紙箱の切れ目線形状であって、線状の切れ目の切断方向上流側の先端に、引張る方向上流側に斜めで短小な切れ目と、前記線状の切れ目に平行で短小な切れ目とを順に繋いだ、多数の屈曲線状の切れ目線を、つなぎを介して１列に並べたことを特徴とする。【選択図】図１
2011225229.tif 000002
【特許請求の範囲】
【請求項１】
大きく開口するための一対の開口線を平行に設けた開口面板と、
前記開口線の一端側に、該開口面板に接続され、該開口面板と反対側の端縁に、前記一対の開口線の平行の距離より狭い幅のつまみ片を設けた開口開始パネルを有する板紙製の紙箱に設ける、
前記つまみ片の両端より前記一対の開口線にそれぞれ連続する、紙箱の切れ目線形状であって、
線状の切れ目の切断方向上流側の先端に、引張る方向上流側に斜めで短小な切れ目と、
前記線状の切れ目に平行で短小な切れ目とを順に繋いだ、多数の屈曲線状の切れ目線を、つなぎを介して１列に並べたことを特徴とする紙箱の切れ目線形状。
【請求項２】
前記つまみ片の直近の前記つなぎの次の前記屈曲線状の切れ目線のみが、
線状の切れ目の切断方向上流側の先端に、引張る方向下流側に斜めで短小な切れ目と、
前記線状の切れ目に平行で短小な切れ目とを順に繋いだ逆屈曲線状の切れ目線であることを特徴とする請求項１に記載の紙箱の切れ目線形状。
【請求項３】
前記つまみ片の直近のつなぎと重なるように、前記開口開始パネルの内側に内側面板を設けたことを特徴とする請求項２に記載の紙箱の切れ目線形状。
【発明の詳細な説明】
【技術分野】
【０００１】
本発明は、紙箱の切れ目線形状に関する。特に、菓子類や装飾品や日用品などを幅広く収容し、天面板などを切断して大きく開口する紙箱の切れ目線形状に関する。
【背景技術】
【０００２】
従来から、菓子類や装飾品や日用品などを幅広く収容する、例えば図４、図５に示すような、天面板などの開口面板１を切断して大きく開口する、板紙製の各種形状の紙箱２０
，３０などが、一般に広く用いられている。
【０００３】
図４（Ａ）は、天面板などの開口面板１を切断して大きく開口する、板紙製の紙箱２０の一例の斜視図である。図４（Ｂ）は、図４（Ａ）の板紙製の紙箱２０を開口した状態の斜視図である。
【０００４】
紙箱２０には、天面板に２本の開口線２を設けて、開口面板１とし、開口面板１に接続して、開口開始パネル４が設けられ、開口開始パネル４の端部にはつまみ片３が設けられている。そして、開口開始パネル４に、複数の切れ目線をつなぎｄを介して一列に並べた切れ目線形状５が、つまみ片３を形成する両端部の切れ込みより２本、開口線２に連続するように設けられている。
【０００５】
そして、つまみ片３を上に捲り上げるようにして、切れ目線形状５で、開口開始パネル４を切断して、さらに、後方に捲り、開口線２を切断して開口面板を切断して、図４（Ｂ）のように、開口することが出来る。
【０００６】
図５（Ａ）は、天面板などの開口面板１を切断して大きく開口する、板紙製の紙箱２０の他の例の斜視図である。図５（Ｂ）は、図５（Ａ）の板紙製の紙箱３０を開口した状態の斜視図である。
【０００７】
紙箱３０には、天面板の両端部に２本の開口線２を設けて、開口面板１とし、開口面板１に接続して、開口開始パネル４が設けられ、開口開始パネル４の左右方向の中央に切れ目線などによって、つまみ片３が設けられている。そして、つまみ片３上端の両側から左右に、それぞれ複数の切れ目線をつなぎｄを介して一列に並べた切れ目線形状５が２本、開口面板１と開口開始パネル４の間に、且つ、開口線２に連続するように設けられている。
【０００８】
そして、つまみ片３を上に捲り上げるようにして、切れ目線形状５で、開口面板１と開口開始パネル４の間を切断して、さらに、後方に捲り、開口線２を切断して開口面板１を捲りあげ、図５（Ｂ）のように、開口することが出来る。
【０００９】
また従来から、通常の板紙製の各種形状の紙箱に設ける切れ目線は、図６（Ａ）示すような、多数の長さが３〜１５ｍｍ程度の直線状の切れ目ａを、それぞれ間隔が０．５〜４ｍｍ程度のつなぎｄを介して１列に並べた、ミシン目線と通称する紙箱の切れ目線形状が、一般に広く用いられている。 
【００１０】
また、図６（Ｂ）に示すような、切断方向の上流側が二股に分かれた直線状の切れ目ｙが、多数のつなぎｄを介して１列に並べた、紙箱の切れ目線形状なども、一般に広く用いられている。
【００１１】
上記のような、紙箱の切れ目線形状は、切断方向に向けて、引っ張ると、きれいに切断できるが、図４、図５に示すような、天面板などの開口面板１に設けた開口線２を切断して大きく開口する紙箱の場合、切れ目線形状５を切断するために、つまみ片３を持って、捲り上げる様に開口するが、開口開始パネル４に、または、開口面板１と開口開始パネル４の間に、設けられた切れ目線形状５は、切れ目線の並んだ列の斜め方向や、横方向に引っ張って切断するため、引っ張った方向に切れてしまい、切れ目線が繋がるように切断することができない。
【００１２】
この用途に適した紙箱４０の切れ目線形状として、つまみ片３を設けた開口開始パネル４に、または、開口面板１と開口開始パネル４の間に、図７のような紙箱の切れ目線形状５を設けることが提案されている。すなわち、図８の拡大図のように、線状の切れ目ａの切断方向上流側の先端に、切断片の側に向けて短小の斜めの切れ目ｂと短小の平行な切れ目ｃとを順に繋いで、それぞれつなぎｄを介して１列に並べた紙箱の切れ目線形状５があった。 (特許文献１)
公知文献を以下に示す。
【先行技術文献】
【特許文献】
【００１３】
【特許文献１】特開２００４−２２４３６８号公報
【発明の概要】
【発明が解決しようとする課題】
【００１４】
前述の紙箱の切れ目線形状においては、つなぎｄを切断して切れ目線に沿って開口した際に、残った開口開始パネル４の端部の破断形状が、図９のように、上方に向かって凸の突起ｅが並んだ形状になっているので、内容物を取り出すときに、紙箱に差し込んだ手にこの突起が当たって痛いことがある。
【００１５】
本発明は、つまみ片３を設けた開口開始パネル４のつなぎｄを切断して切れ目線に沿って開口し、紙箱に手を差し込んで内容物を取り出すときに、切断部分に手が当たっても、痛く無いようにした紙箱の切れ目線形状を提供することを課題とする。
【課題を解決するための手段】
【００１６】
本発明は係る課題に鑑みなされたものであり、請求項１の発明は、大きく開口するための一対の開口線を平行に設けた開口面板と、
前記開口線の一端側に、該開口面板に接続され、該開口面板と反対側の端縁に、前記一対の開口線の平行の距離より狭い幅のつまみ片を設けた開口開始パネルを有する板紙製の紙箱に設ける、
前記つまみ片の両端より前記一対の開口線にそれぞれ連続する、紙箱の切れ目線形状であって、
線状の切れ目の切断方向上流側の先端に、引張る方向上流側に斜めで短小な切れ目と、
前記線状の切れ目に平行で短小な切れ目とを順に繋いだ、多数の屈曲線状の切れ目線を、つなぎを介して１列に並べたことを特徴とする紙箱の切れ目線形状である。
【００１７】
本発明の紙箱の切れ目線形状は、以上のような構成であって、つまみ片を設けた開口開始パネルのつなぎを切断して切れ目線に沿って開口して、紙箱に手を差し込んで内容物を取り出すときに、切断部分が下方に向かってくぼみが並んだ形状となり、上方に向かって凸の突起が並んだ形状にならないので、手が当たっても痛く無い。
【００１８】
本発明の請求項２の発明は、前記つまみ片の直近の前記つなぎの次の前記屈曲線状の切
れ目線のみが、
線状の切れ目の切断方向上流側の先端に、引張る方向下流側に斜めで短小な切れ目と、
前記線状の切れ目に平行で短小な切れ目とを順に繋いだ逆屈曲線状の切れ目線であることを特徴とする請求項１に記載の紙箱の切れ目線形状である。
【００１９】
本発明はさらに、つまみ片の直近の前記つなぎの次の前記屈曲線状の切れ目線のみを、線状の切れ目の切断方向上流側の先端に、引張る方向下流側に斜めで短小な切れ目と、前記線状の切れ目に平行で短小な切れ目とを順に繋いだ逆屈曲線状の切れ目線としたことから、切断の開始の際、はじめに上方に切断されるのでスムーズに切断が開始され、その後、左右または左右斜め方向に向かって、力が伝わり、切断が進んでいき、容易に開口が出来る。
【００２０】
本発明の請求項３の発明は、前記つまみ片の直近のつなぎと重なるように、前記開口開始パネルの内側に内側面板を設けたことを特徴とする請求項２に記載の紙箱の切れ目線形状である。
【００２１】
本発明は、請求項２において、つまみ片の直近の前記つなぎの次の前記屈曲線状の切れ目線のみを、逆屈曲線状にした場合、切れ目線に沿って開口すると、この部分の切断形状が上方に向かって凸となるが、内側に内側面板を設けたことにより、上方に向かって凸の切断形状が手に当らないので痛くなることが無い。
【発明の効果】
【００２２】
本発明の紙箱の切れ目線形状は、以上のように、つまみ片を設けた開口開始パネルのつなぎを切断して切れ目線に沿って開口し、紙箱に手を差し込んで内容物を取り出すときに、切断部分に手が当たっても、痛く無い。
【図面の簡単な説明】
【００２３】
【図１】本発明の紙箱の切れ目線形状の一例を設けた紙箱の正面を示した説明図である。
【図２】（Ａ）は、図１の円囲み部分Ａの拡大図である。（Ｂ）は、図１の円囲み部分Ｂの拡大図である。
【図３】本発明の紙箱の切れ目線形状の一例を設けた紙箱を開口したときの正面を示した説明図である。
【図４】天面板などの開口面板１を切断して大きく開口する、板紙製の紙箱の一例の斜視図である。
【図５】天面板などの開口面板１を切断して大きく開口する、板紙製の紙箱のその他の例の斜視図である。
【図６】（Ａ）従来から、用いられている切れ目線形状の一例の説明図である。（Ｂ）従来から、用いられている切れ目線形状のその他の例の説明図である。
【図７】従来の紙箱の切れ目線形状の一例を設けた紙箱の正面を示した説明図である。
【図８】図７の円囲み部分の拡大図である。
【図９】従来の紙箱の切れ目線形状の一例を設けた紙箱を開口したときの正面を示した説明図である。
【発明を実施するための形態】
【００２４】
以下本発明を実施するための形態につき説明する。
図１は、本発明の紙箱の切れ目線形状の一例を設けた紙箱の正面を示した説明図である。図２（Ａ）は、図１の円囲み部分Ａの拡大図である。
図２（Ｂ）は、図１の円囲み部分Ｂの拡大図である。
図３は、本発明の紙箱の切れ目線形状の一例を設けた紙箱を開口したときの正面を示した説明図である。
【００２５】
本例の紙箱の切れ目線形状は、図１の紙箱１０の正面図のように、つまみ片３の設けられた開口開始パネル４に施されている。開口開始パネル４の内側には、内側面板６が設けられている。
【００２６】
つまみ片３を持って上方に捲り上げると、切れ目線形状５に沿って、開封され、開口線２の設けられた、天面板（開口面板１）に至り、開口線２に接続して、図３のように、開口線２が切断され紙箱が大きく開口される。
【００２７】
図２（Ａ）は、図１の円囲み部分Ａの拡大図である。本例の紙箱の切れ目線形状５は、図２（Ａ）のように、線状の切れ目ａの切断方向上流側の先端に、引張る方向上流側に斜めで短小な切れ目ｆと、前記線状の切れ目ａに平行で短小な切れ目ｇとを順に繋いだ、多数の屈曲線状の切れ目線を、つなぎｄを介して１列に並べた形状である。
【００２８】
つまみ片３を持って上方に捲り上げると、切れ目線の切れ目ｇの先端は、前の切れ目線の切れ目ａの先端より、引っ張る方向の上流側にあるので、切れ目ｇの先端からつなぎｄに亀裂が入り、前の切れ目線の切れ目ａに向けて切断される。
【００２９】
図３のように開封されると、切れ目線がつなぎを介して並べられた、切れ目線列に沿って、開口開始パネル４が切断され、つまみ片３の付いた部分と、その両側部分との、３つに分断される。
【００３０】
このとき、開口開始パネル４の切断された両側部分は、容器本体（トレー状部分）の内側面板６に残るが、その切断された端縁は、直線と、下方向へ凸の曲線ｈとが、並んだ形状となり、上方向へ凸の突起が出来ない。そのため、開口して、紙箱に手を差し込んで内容物を取り出すときに、切断部分に手が当たっても、従来技術のように、手が痛くなることが無い。
【００３１】
図１のＢは、つまみ片３の直近のつなぎの次の屈曲線状の切れ目線である。この切れ目線のみを、図２（Ｂ）のように、線状の切れ目ａの切断方向上流側の先端に、引張る方向下流側に斜めで短小な切れ目ｂと、前記線状の切れ目に平行で短小な切れ目ｃとを順に繋いだ逆屈曲線状の切れ目線にしてある。
【００３２】
これによって、つまみ片３を持って捲りあげて開口するとき、最初のつなぎｄは、つまみ片３を形成している切込の先端から、上方に切断されるのでスムーズに切断が開始され、その後、左右または左右斜め方向に向かって、力が伝わり、切断が進んでいき、容易に開口することが出来る。
【００３３】
また、最初のつなぎｄと重なるように、開口開始パネル４の内側に内側面板６が設けられている。これにより、開口後、紙箱に手を差し込んで内容物を取り出すときに、最初のつなぎ部分が上方に向かって凸の突起になっていても、内側面板６によって手に当たるこ
とが無く、手を傷めることがない。
【００３４】
本発明について一例をあげて説明したが、本発明は、この例に限られるものではない。本例では、図４のような、開口面板１が天面にある場合を説明したが、側面に設けられていてもよい。
【００３５】
また、開口面板１の両端部より内側に、開口線２を設けたが、図５のように開口面板１の両端部に、開口線２を設けた紙箱でもよい。そして、つまみ片３を開口開始パネル４の上端まで延ばして、開口面板１に到らせて、そこから左右方向にそれぞれ、開口面板１と開口開始パネル４の間に本発明の紙箱の切れ目線形状５を設けてもよい。
【符号の説明】
【００３６】
１・・・開口面板
２・・・開口線
３・・・つまみ片
４・・・開口開始パネル
５・・・切れ目線形状
６・・・内側面板
１０、２０、３０、４０・・・紙箱
ａ、ｂ、ｃ、・・・切れ目
ｙ・・・上流側が二股に分かれた直線状の切れ目
ｄ・・・つなぎ
ｅ・・・突起
ｈ・・・下方向へ凸の曲線
【図１】
2011225229.tif 000003
【図２】
2011225229.tif 000004
【図３】
2011225229.tif 000005
【図４】
2011225229.tif 000006
【図５】
2011225229.tif 000007
【図６】
2011225229.tif 000008
【図７】
2011225229.tif 000009
【図８】
2011225229.tif 000010
【図９】
2011225229.tif 000011